(57)【要約】【課題】  本発明の課題は、ＩＣタグの向きを簡単に揃えることができるＩＣタグ容器包装体の製造方法を提供することである。【解決手段】  ＩＣタグラベル７の一部分が容器の胴部に貼付されたＩＣタグ容器５であって、前記ＩＣタグラベル７の一側部７ａが前記ＩＣタグラベルの貼付位置における胴部の接線の一方向側へ突出されているＩＣタグ容器５を、複数の収納凹部２が一側部３ａから他側部３ｂに亘って並んで形成された収納部材３の各収納凹部２に、前記ＩＣタグ容器５を一方向へ回転させたときに前記ＩＣタグラベル７の一側部７ａが前記収納部材３の一側部３ａ側に向くように、それぞれ入れる工程と、前記ＩＣタグラベル７の表面に接触して前記ＩＣタグ容器５を一方向に回転させる整列具１０を、前記収納部材３の他側部３ｂから一側部３ａの方向へ相対移動させる工程と、を有する。【選択図】  図１２
2010189020.tif 000002
【特許請求の範囲】
【請求項１】
ＩＣタグラベルの一部分が容器の胴部に貼付されたＩＣタグ容器であって、前記ＩＣタグラベルの一側部が前記ＩＣタグラベルの貼付位置における胴部の接線の一方向側へ突出されているＩＣタグ容器を、複数の収納凹部が一側部から他側部に亘って並んで形成された収納部材の各収納凹部に、前記ＩＣタグ容器を一方向へ回転させたときに前記ＩＣタグラベルの一側部が前記収納部材の一側部側に向くように、それぞれ入れる工程と、
前記ＩＣタグラベルの表面に接触して前記ＩＣタグ容器を一方向に回転させる整列具を、前記収納部材の他側部から一側部の方向へ相対移動させる工程と、を有することを特徴とするＩＣタグ容器包装体の製造方法。
【請求項２】
前記整列具が、前記収納部材の収納凹部の開口側に被せられる蓋材である請求項１に記載のＩＣタグ容器包装体の製造方法。
【請求項３】
前記ＩＣタグラベルの他側部が、前記胴部に接着されており、前記ＩＣタグラベルの他側部が湾曲している請求項１または２に記載のＩＣタグ容器包装体の製造方法。
【請求項４】
前記容器が、前記胴部の上方に連設され且つ前記胴部の周長よりも短い周長の小胴部を有し、
前記ＩＣタグラベルの上部が、前記小胴部の前方に接着されている請求項１〜３のいずれかに記載のＩＣタグ容器包装体の製造方法。
【請求項５】
ＩＣタグラベルの一部分が容器の胴部に貼付されたＩＣタグ容器であって、前記ＩＣタグラベルの一側部が前記ＩＣタグラベルの貼付位置における前記胴部の接線の一方向へ突出されている複数のＩＣタグ容器と、
複数の収納凹部が一側部から他側部に亘って並んで形成された収納部材と、を有し、
前記ＩＣタグ容器が、前記収納部材の各収納凹部にそれぞれ入れられており、
前記ＩＣタグラベルの一側部寄りにＩＣタグが設けられ、
前記ＩＣタグラベルの一側部が、前記収納部材の一側部側に向けられ且つ略同一平面上に配置されていることを特徴とするＩＣタグ容器包装体。
【請求項６】
前記容器が、前記胴部の上方に連設され且つ前記胴部の周長よりも周長が短い小胴部を有し、
前記小胴部の前方に、前記ＩＣタグラベルの上部が離れて位置している請求項５に記載のＩＣタグ容器包装体。
【発明の詳細な説明】
【技術分野】
【０００１】
本発明は、ＩＣタグラベルが容器に貼付されたＩＣタグ容器を複数包装したＩＣタグ容器包装体の製造方法などに関する。
【背景技術】
【０００２】
近年のＩＴ技術の著しい進歩によって、超小型のＩＣチップを備えるＩＣタグが、バーコードなどに代わって商品管理に利用されるようになってきている。１つの利用形態として、ＩＣタグに商品情報（品名、ロット番号、製造日、品質保持期限等）や入出荷情報（出荷日、入庫日等）などを適宜記録することにより、商品の製造元から流通業者を経て消費者に亘るまでの流通履歴を含めた商品管理を、個々の商品毎に行うことが可能となる。
【０００３】
このようなＩＣタグを具備させる商品としては、例えば、アンプルなどの医療用容器が挙げられる。
医療用容器にＩＣタグを具備させることにより、医薬品製造元から流通業者を経て病院などに至るまでの各拠点で、ＩＣタグに入出荷情報や検品情報などの所望の情報を追加又は更新記録できる。このようにＩＣタグを用いれば、極めて正確な流通履歴を残すことができる。このため、医薬品の追跡管理を容易に行えるという利点がある。
【０００４】
従来、ＩＣタグを容器に具備させる手段として、筒状のラベル基材面に導電性インキからなるアンテナパターンが印刷され、このアンテナパターンに電気的に導通するようにＩＣタグが貼着されているＩＣタグ付きボトル用ラベルを、容器胴部に装着することが知られている（特許文献１）。
また、このような筒状ラベル以外に、ＩＣタグを備えるタックラベルを、容器胴部に貼付する手段も考えられる。
【先行技術文献】
【特許文献】
【０００５】
【特許文献１】特開２００４−２０７７１号公報
【発明の概要】
【発明が解決しようとする課題】
【０００６】
ところで、医療用容器を含む各種商品は、通常、複数個を纏めて段ボール箱や厚紙箱などの包装箱に詰めた包装体の形態で、保管・運搬などの流通に供される。
しかしながら、従来のように、容器胴部にＩＣタグが具備されたＩＣタグ容器を包装した包装体は、個々の容器に具備されたＩＣタグ情報を正確に読み取ることができない場合がある。
【０００７】
例えば、ＩＣタグを具備した医療用容器（ＩＣタグ容器）は、複数の収納凹部が形成された収納部材（一般的には、該収納部材としてロンドレーションが使用される）の各収納凹部にそれぞれ入れられる。
しかしながら、上記各収納凹部は、収納部材の一側部から他側部に亘って並んで形成されているため、各収納凹部に入れられた隣合う医療用容器のＩＣタグ同士が向かい合う場合がある。この場合、向かい合ったＩＣタグが干渉し合うため、リーダ装置などの無線通信装置によって各医療用容器のＩＣタグ情報を正確に読み取ったり、或いは各ＩＣタグに情報を正確に書き込むことができないことがある。また、充填された医薬品が液体の場合、液体に電波が吸収され易いので、同様にＩＣタグの読み取り精度が低下する。
【０００８】
この点、包装体を製造するときに、ＩＣタグが向かい合わないように医療用容器の向きを調整しながら各収納凹部に医療用容器を入れていけば、各ＩＣタグの干渉を防止できる。しかしながら、個々の医療用容器の向きを調整しながら収納凹部に入れることは包装作業の煩雑化を招く。また、医療用容器が収納凹部内で回転可能である場合には、ＩＣタグの向きを揃えて入れたとしても、流通過程で医療用容器が収納凹部内で回転して、ＩＣタグの向きが変わる虞もある。
【０００９】
本発明の第１の課題は、収納部材の収納凹部にＩＣタグ容器を入れた後、各ＩＣタグの向きを簡単に揃え、各ＩＣタグに正確にアクセスできるＩＣタグ容器包装体の製造方法を提供することである。
本発明の第２の課題は、ＩＣタグが容器に具備されたＩＣタグ容器が収納部材の各収納凹部に入れられた包装体に於いて、各ＩＣタグ容器のＩＣタグに正確にアクセスできるＩＣタグ容器包装体を提供することである。
【課題を解決するための手段】
【００１０】
本発明のＩＣタグ容器包装体の製造方法は、ＩＣタグラベルの一部分が容器の胴部に貼付されたＩＣタグ容器であって、前記ＩＣタグラベルの一側部が前記ＩＣタグラベルの貼付位置における胴部の接線の一方向側へ突出されているＩＣタグ容器を、複数の収納凹部が一側部から他側部に亘って並んで形成された収納部材の各収納凹部に、前記ＩＣタグ容器を一方向へ回転させたときに前記ＩＣタグラベルの一側部が前記収納部材の一側部側に向くように、それぞれ入れる工程と、前記ＩＣタグラベルの表面に接触して前記ＩＣタグ容器を一方向に回転させる整列具を、前記収納部材の他側部から一側部の方向へ相対移動させる工程と、を有する。
【００１１】
上記ＩＣタグ容器包装体の製造方法は、先ず、ＩＣタグラベルの一側部が突出されているＩＣタグ容器を、収納部材の各収納凹部に入れる。このとき、ＩＣタグ容器を一方向へ回転させたときに前記ＩＣタグラベルの一側部が前記収納部材の一側部側に向くように、各ＩＣタグ容器を各収納凹部にそれぞれ入れていく。なお、この工程においては、各ＩＣタグラベルを略同一平面上に揃える必要はなく、無作為にＩＣタグ容器を各収納凹部に入れるだけでよい。
ＩＣタグラベルの一側部を収納部材の一側部側に向けて、無作為に各ＩＣタグ容器を収納凹部に入れると、ＩＣタグラベルの一側部が収納凹部から突出した状態で収納凹部に入っているＩＣタグ容器もあれば、ＩＣタグラベルの一側部が収納凹部の天面部を含む面と略平行になった状態で入っているＩＣタグ容器もある。
【００１２】
次に、前記ＩＣタグラベルの表面に接触して前記ＩＣタグ容器を一方向に回転させる整列具を、収納部材の他側部から一側部の方向へ相対移動させると、前記突出したＩＣタグラベルの表面に当たった整列具が、ＩＣタグラベルを収納部材の一側部方向へ引き連れる。整列具がＩＣタグラベルを引き連れることに伴ってＩＣタグ容器が収納凹部内で一方向に回転する。その結果、各ＩＣタグ容器のＩＣタグラベルが略同一平面上に整列したＩＣタグ容器包装体を得ることができる。
得られたＩＣタグ容器包装体は、各ＩＣタグ容器のＩＣタグラベルが略同一平面上に並んでいるので、隣合うＩＣタグが干渉し合うことを防止できる。また、このＩＣタグ容器包装体に無線通信装置を作用させることにより、個々のＩＣタグの情報に正確にアクセスできる。
【００１３】
本発明の好ましい製造方法は、前記整列具が、前記収納部材の収納凹部の開口側に被せられる蓋材である。
【００１４】
上記好ましい製造方法のように、整列具として蓋材を用いることにより、上記ＩＣタグラベルの整列と収納部材の閉蓋を同時に行うことができる。
【００１５】
本発明の他の好ましい製造方法は、前記ＩＣタグラベルの他側部が、前記胴部に接着されており、前記ＩＣタグラベルの他側部が前記胴部の曲面に沿って湾曲している。
【００１６】
上記他の好ましい製造方法によれば、前記ＩＣタグラベルの他側部が胴部の曲面に沿って湾曲しているので、整列具を収納部材の他側部から一側部側へ相対移動させたときに、整列具がＩＣタグラベルの他側部の縁に当たることを防止できる。このため、整列具の相対移動に伴って、ＩＣタグラベルが、折れ曲がったり、或いは、容器から剥がれることを防止できる。
【００１７】
本発明の他の好ましい製造方法は、前記容器が、前記胴部の上方に連設され且つ前記胴部の周長よりも短い周長の小胴部を有し、前記ＩＣタグラベルの上部が、前記小胴部の前方に接着されている。
【００１８】
上記好ましい製造方法によれば、ＩＣタグラベルの上部が容器の小胴部に接着されているので、整列具を収納部材の他側部から一側部側へ相対移動させたときに、整列具がＩＣタグラベルの他側部上部に当たることを防止できる。このため、整列具の移動に伴って、ＩＣタグラベルが折れ曲がったり、或いは、容器から剥がれることを防止できる。
【００１９】
本発明の別の局面によれば、ＩＣタグ容器包装体が提供される。
本発明のＩＣタグ容器包装体は、ＩＣタグラベルの一部分が容器の胴部に貼付されたＩＣタグ容器であって、前記ＩＣタグラベルの一側部が前記ＩＣタグラベルの貼付位置における前記胴部の接線の一方向へ突出されている複数のＩＣタグ容器と、複数の収納凹部が一側部から他側部に亘って並んで形成された収納部材と、を有し、前記ＩＣタグ容器が、前記収納部材の各収納凹部にそれぞれ入れられており、前記ＩＣタグラベルの一側部寄りにＩＣタグが設けられ、前記各ＩＣタグ容器のＩＣタグラベルの一側部が前記収納部材の一側部側に向けられ且つ略同一平面上に配置されていることを特徴とする。
【００２０】
上記ＩＣタグ容器包装体は、各ＩＣタグ容器のＩＣタグラベルの一側部が収納部材の一側部側に向けられ且つ略同一平面上に配置されているので、隣合うＩＣタグが干渉し合うことを防止できる。従って、上記ＩＣタグ容器包装体は、無線通信装置を用いて、個々のＩＣタグの情報に正確にアクセスできる。
また、上記ＩＣタグ容器包装体は、各ＩＣタグ容器のＩＣタグラベルの一側部が胴部から突出されているので、ＩＣタグラベルの一側部を収納部材の天面部上に位置させることも可能である。このため、上記ＩＣタグ容器包装体は、流通過程で、ＩＣタグ容器が収納凹部内で回転し難く、ＩＣタグラベルの向きが変わることを防止できる。
【００２１】
本発明の好ましいＩＣタグ容器包装体は、前記容器が、前記胴部の上方に連設され且つ前記胴部の周長よりも周長が短い小胴部を有し、前記小胴部の前方に、前記ＩＣタグラベルの上部が離れて位置している。
【００２２】
上記好ましいＩＣタグ容器包装体は、ＩＣタグラベルの上部が、容器の小胴部の前方に離れて位置しているので、容器内に充填された液体によって電波が吸収され難くなる。従って、上記好ましいＩＣタグ容器包装体は、ＩＣタグの情報に確実にアクセスできる。
【発明の効果】
【００２３】
本発明のＩＣタグ容器包装体の製造方法によれば、収納部材の収納凹部に入れられた各ＩＣタグラベルを略同一平面上に簡単に揃えることができる。従って、本発明の製造方法によれば、各ＩＣタグの情報に正確にアクセスできるＩＣタグ容器包装体を簡易に製造できる。
また、本発明のＩＣタグ容器包装体によれば、各ＩＣタグ容器のＩＣタグに正確にアクセスできる。
【図面の簡単な説明】
【００２４】
【図１】１つの実施形態に係るＩＣタグ容器包装体の正面図。
【図２】図１のＩＩ−ＩＩ線断面図。ただし、包装箱のみを切断した状態で示す。
【図３】（ａ）は、収納部材の正面図、（ｂ）は、同上面図。
【図４】１つの実施形態に係る箱体の斜視図。
【図５】１つの実施形態に係る容器の正面図。
【図６】１つの実施形態に係る巻付け型ＩＣタグラベルの正面図。
【図７】図６のＶＩＩ−ＶＩＩ線断面図。
【図８】図６のＶＩＩＩ−ＶＩＩＩ線断面図。
【図９】１つの実施形態に係るＩＣタグ容器の上面図。
【図１０】１つの実施形態に係るＩＣタグ容器の正面図。
【図１１】ＩＣタグ容器包装体の１つの製造方法の工程を示し、収納部材の各収納凹部にＩＣタグ容器を入れた状態の上面図。
【図１２】ＩＣタグ容器包装体の１つの製造方法の工程を示し、整列具を相対移動させてＩＣタグ容器を回転させながらＩＣタグラベルの向きを揃えている状態の上面図。
【図１３】他の実施形態に係るＩＣタグ容器の上面図。
【図１４】他の実施形態に係る巻付け型ＩＣタグラベルの正面図。
【図１５】図１４の巻き付け型ＩＣタグラベルが貼付されたＩＣタグ容器の上面図。
【図１６】巻付けラベルを有しないＩＣタグラベルが貼付されたＩＣタグ容器の正面図。
【図１７】ＩＣタグ容器包装体の他の製造方法の工程を示し、供給具に仮止めされたＩＣタグラベルを収納部材の容器に貼付する前の上面図。
【図１８】ＩＣタグ容器包装体の他の製造方法の工程を示し、ＩＣタグラベルを容器に貼付し、供給具を後退させた状態の上面図。
【図１９】他の実施形態に係るＩＣタグ容器の正面図。
【発明を実施するための形態】
【００２５】
＜ＩＣタグ容器包装体の１つの実施形態＞
図１及び図２に於いて、１は、複数の収納凹部２が並んで形成された収納部材３と箱体８とを有する包装箱と、前記収納部材３の各収納凹部２に収納されたＩＣタグ容器５と、を有するＩＣタグ容器包装体を示す。ただし、図１において、箱体８を２点鎖線で示す。
ＩＣタグ容器５は、胴部６１を有する容器６と、前記胴部６１に一部分が貼付されたＩＣタグラベル７と、を有する。
ＩＣタグラベル７は、その一側部７ａが胴部６１の貼付位置における接線の一方向に突出するように、容器６の胴部６１に貼付されている。
この突出したＩＣタグラベル７の一側部７ａが収納部材３の一側部３ａ側に向けられ且つこのＩＣタグラベル７の一側部７ａが略同一平面上に配置された状態で、ＩＣタグ容器５が収納部材３の各収納凹部２に入れられている。
以下、具体的に説明する。
【００２６】
包装箱は、上記収納部材３と、該収納部材３を被覆する箱体８と、を有する。
収納部材３は、図３にも示すように、正面視略矩形状であり、その一側部３ａから他側部３ｂに亘って複数の収納凹部２が並んで形成されている。
収納凹部２は、略Ｕ字形状の細長い凹みであり、該凹みが収納部材３の上端から下端にまで形成されている。また、収納凹部２の内周面は、円弧状に形成されている。前記内周面に対向する収納凹部２の開口２１（ＩＣタグ容器５の出し入れ口）が、収納部材３の天部側に向かって開いている。
【００２７】
各収納凹部２は、その長手方向（細長い凹みの延びる方向）が平行となるように、収納部材３の一側部３ａから他側部３ｂに亘って複数連設されている。各収納凹部２の連設部分には、天面部２２が形成されている。該天面部２２は、例えば小さな円弧の山型状に形成されている。天面部２２は、隣合う収納凹部２を連結する部分であると共に、収納部材３の最も高い部分を構成している。なお、各天面部２２の高さは、略同じである。従って、収納部材３を平坦な載置面上に載置したときに、各天面部２２を含む平面は、前記載置面と平行である。
収納凹部２の数は、複数（２個以上）であれば特に限定されない。本実施形態では、収納凹部２が５個形成された収納部材３を例示している。
【００２８】
また、収納部材３の一側部３ａを構成する部分には、外側へ延びる脚部３１が延設されている。この脚部３１は、例えば、収納部材３の一側部３ａを構成する部分の下端を略直角に折り曲げることによって形成できる。もっとも、脚部３１は、収納部材３の一側部３ａを構成する部分の略中央に形成されていてもよいし、一側部３ａを構成する部分の上端に形成されていてもよい。また、脚部３１は、収納部材３の他側部３ｂを構成する部分にも形成されていてもよい（図示せず）。
前記脚部３１が設けられていることにより、図２に示すように、収納部材３の一側部３ａと箱体８のケース８１の側面８１ａとの間に、空間Ｘが生じる。前記空間Ｘは、前記脚部３１の端部が前記側面８１ａに当たることにより、確実に保持されている。かかる空間Ｘの存在により、収納部材３の一側部３ａから外側に出たＩＣタグラベル７の一側部７ａの端部が側面に当たることを防止でき、よって、搬送中などに、ＩＣタグラベル７が潰れることを防止できる。
【００２９】
上記収納部材３は、厚紙、合成樹脂シートなどで形成することができる。厚紙や合成樹脂シートなどのシートで形成された収納部材３は、一般に、ロンドレーション（波形緩衝シート）と呼ばれる。
また、上記収納部材３は、シートで形成されたものに限られず、例えば、合成樹脂成形品などでもよい。
【００３０】
上記箱体８は、内部に収納部材３を入れ且つこれを被覆できるものであれば特に限定されない。
例えば、箱体８は、収納部材３の底部、上部及び下部の３方面を囲うケース８１と、収納部材３の収納凹部２の開口２１側に被せられる蓋材８２と、を有する。
本実施形態では、箱体８は、図４に示すように、前記ケース８１と蓋材８２が一体的に形成された、矩形筒状体からなる。該矩形筒状体は、収納部材３の底部、天部、上部及び下部の４方面を囲うことができ、その両側部に開口８４（収納部材３の出し入れ口）がそれぞれ形成されている。矩形筒状体は、前記両開口８４を塞ぐための側面８１ａを有していてもよい。側面８１ａが設けられた箱体８は、その内部に入れた収納部材３が不用意に開口８４から抜け出ることを防止できる。なお、側面８１ａを設けた箱体８であっても、上記のように、収納部材３に脚部３１が設けられていれば、ＩＣタグラベル７の一側部７ａが潰れることを防止できる。
前記側面８１ａは、例えば、前記開口８４を塞ぐフラップ片８３を前記矩形筒状体の両側部に設けることによって、形成できる。該フラップ片８３を開口８４に嵌めることにより、側面８１ａを形成できる。なお、図４において、フラップ片８３を２点鎖線で示す。
【００３１】
上記ＩＣタグ容器５を入れた収納部材３を、上記箱体８の開口８４から箱体８内にスライド挿入することにより、ＩＣタグ容器包装体１を構成できる。
箱体８内に収納された収納部材３は、その底部が箱体８の底面に接し又は近接している。また、箱体８内に収納された収納部材３は、その収納凹部２の開口２１から突出したＩＣタグ容器５の一部分が箱体８の天面（蓋材８２）に接し又は近接している。
箱体８は、厚紙、段ボール、合成樹脂シートなどの比較的硬いシートを組み立てて形成できる。また、箱体８は、非透明又は透明の何れでもよい。
【００３２】
ＩＣタグラベル７を具備させる容器６は、図５にも示すように、例えば、胴部６１と、該胴部６１の上方に連設され且つ胴部６１の周長よりも周長が短い小胴部６２と、を有する。
具体的には、容器６の胴部６１は、収納凹部２内で回転可能な形状（例えば、図示したような円筒状）に形成されている。該胴部６１に連設された小胴部６２は、円筒状の胴部６１の径よりも小径の円形状に形成されている。胴部６１と小胴部６２の径差は、特に限定されないが、好ましくは、小胴部６２の直径が、胴部６１の直径に対して３／４〜１／４倍である。
【００３３】
このような容器６は、図示したような、アンプル（医療用容器の１種）が挙げられる。また、特に図示しないが、前記容器６は、アンプルに限られず、バイアル瓶、プレフィルドシリンジなどの医療用容器でもよい。また、前記容器６は、医療用容器に限られず、胴部よりも小径の注出口が形成されたボトル型容器（例えば、飲料を充填するボトル型容器）などでもよい。
なお、容器６が医療用容器の場合には、容器６内に医薬品が充填される。容器６がボトル型容器などの場合には、飲料、調味料などの任意のものが充填される。
容器６の材質についても特に限定されず、ポリエチレンテレフタレートなどの合成樹脂製、金属製、陶器製、ガラス製などが挙げられる。但し、金属製容器を用いる場合には、磁束の異常反射などが発生して電磁誘導に影響を及ぼしてＩＣタグの読み取り感度が低下する虞がある。
【００３４】
前記ＩＣタグラベル７は、図６〜図８にも示すように、ＩＣタグ７１を備えており、その一部分（例えば、ＩＣタグラベル７の他側部下端）において容器６に接着可能である。
ＩＣタグラベル７は、正面視所定形状（例えば、正面視矩形状など）に形成され、その一部分に舌状の貼付部７２が延設されている。この貼付部７２の裏面において、ＩＣタグラベル７は、容器６に接着可能であるが、ＩＣタグラベル７の他の部分は、実質的に粘着性がなく、容器６に接着できない。
【００３５】
上記ＩＣタグ７１は、その裏面に設けられた粘着剤層７１５を介して、ＩＣタグラベル７の表面に貼付されている。具体的には、ＩＣタグ７１は、粘着剤層７１５を介して、ＩＣタグラベル７の一側部７ａ寄りに貼付されている。後述するように、ＩＣタグ７１は、ＩＣチップ７１１及びアンテナ部７１２からなり、アンテナ部７１２はある程度大きな面積を占めている。本実施形態では、ＩＣタグ７１は、図６に示すように、ＩＣタグラベル７の平面視における中心を基準にして、その一側部７ａ側に寄って設けられている。さらに、ＩＣタグ７１は、同図に示すように、ＩＣタグラベル７の一側部上端寄りに設けられていることが好ましい。中でも、ＩＣタグ７１のうち、ＩＣチップ７１１が、ＩＣタグラベル７の一側部７ａ寄りに設けられていることがより好ましく、さらに、ＩＣタグラベル７の一側部上端寄りに設けられていることが特に好ましい。
前記粘着剤層７１５を介して貼付されたＩＣタグ７１は、ＩＣタグラベル７から剥離することができる。もっとも、ＩＣタグ７１は、ＩＣタグラベル７に対して剥離可能に貼付せず、ＩＣタグラベル７に一体的に設けられていてもよい。
【００３６】
ＩＣタグ７１は、ＩＣチップ７１１及びアンテナ部７１２からなるモジュール部を少なくとも有する。該ＩＣタグ７１は、無線通信装置（後述するように、読込み型、書込み型、又は読書き型の何れでもよい）を用いて、非接触でＩＣチップ７１１の電気的情報を読み込む及び／又はＩＣチップ７１１に書き込まれる。
ＩＣタグ７１の具体的構成としては、基材７１３の上にＩＣチップ７１１及びアンテナ部７１２からなるモジュール部が形成され且つこのモジュール部の上に保護層７１４が積層された構成などが挙げられる。
尚、このＩＣタグ７１とは、一般的に、ＲＦＩＤタグ、ＲＦＩＤインレット、無線ＩＣタグ、非接触ＩＣ、非接触データキャリアなどと表現されているものも含まれる。
【００３７】
ＩＣタグラベル７の層構成は、ＩＣタグ７１が具備されたベースフィルム７３１と、ベースフィルム７３１の裏面に設けられた粘着剤層７３２と、貼付部７２に対応する部分を除いて前記粘着剤層７３２に重ねて設けられた隠蔽層７３３と、を有する。前記隠蔽層７３３は、粘着剤層７３２の接着力を抑える層である。従って、ＩＣタグラベル７の貼付部７２の裏面のみに粘着剤層７３２が露出しており、ＩＣタグラベル７は、貼付部７２において容器６に接着可能である。
なお、ＩＣタグラベル７は、上記層構成に限られず、例えば、ベースフィルム７３１の裏面のうち貼付部７２に対応する部分のみに粘着剤層７３２が設けられた層構成でもよい。
【００３８】
ＩＣタグ７１の粘着剤層７１５及びＩＣタグラベル７の粘着剤層７３２は、従来公知の粘着剤をベースフィルム７３１などに塗工することによって形成されている。
粘着剤とは、室温下、人力で容易に剥がすことができる程度の接着力で２つの部材を接着可能であって、剥離後、再貼付可能なものを意味する。該粘着剤としては、アクリル系、ゴム系などの感圧型粘着剤などが挙げられる。
また、隠蔽層７３３は、粘着剤の接着力を隠蔽する性質を有するマスキング剤を塗工することによって形成できる。マスキング剤としては、例えば、紫外線硬化型インキなどが挙げられる。
【００３９】
上記基材７１３及びベースフィルム７３１は、特に限定されず、例えば、ポリエステルフィルムなどの合成樹脂フィルム、紙、合成紙などのフィルム、及び２枚以上のフィルムが積層された積層フィルムなどを用いることができる。ＩＣタグラベル７は、整列具が当たったときに変形し難いことが好ましい。この理由から、ベースフィルム７３１としては、剛性の高いフィルム、例えば、ポリエチレンテレフタレートなどのポリエステル系フィルム又はポリエステル系フィルムが積層された積層フィルムを用いることが好ましい。
【００４０】
ベースフィルム７３１の厚みは、余りに薄いと変形し易いことから、５０μｍ以上が好ましく、更に、８０μｍ以上がより好ましい。なお、ベースフィルム７３１の厚みは、余りに厚いと取扱い性が悪く、更に費用対効果の点から、２００μｍ以下が好ましい。
なお、ＩＣタグ７１及び／又はＩＣタグラベル７には、必要に応じて、商品情報（品名、ロット番号、製造日、品質保持期限等）が印刷表示されていてもよいし、その他の意匠が印刷表示されていてもよい。
【００４１】
さらに、本実施形態のＩＣタグラベル７は、容器６の胴部６１に巻き付けて貼付可能な巻付けラベル７５が一体的に設けられた、巻付け型ＩＣタグラベル９である。ＩＣタグラベル７として、巻付け型ＩＣタグラベル９を用いることにより、主として広告目的で貼付される巻付けラベル７５を胴部６１に貼付すると同時に、ＩＣタグラベル７を容器６に具備させることができる。
巻付けラベル７５とＩＣタグラベル７は、部分的に連設されている。例えば、ＩＣタグラベル７の貼付部７２（他側部下端）と巻付けラベル７５の他側部上端とにおいて、両ラベル７，７５が連設されている。このように部分的に連設させるため、ＩＣタグラベル７の一側部下端から他側部方向へ切り目７９が形成されている。この切り目７９においてＩＣタグラベル７と巻付けラベル７５は分離されている。従って、巻付けラベル７５を容器６の胴部６１に巻き付けたときに、それに追従してＩＣタグラベル７全体が円弧状に湾曲することを防止できる。
【００４２】
巻付けラベル７５は、正面視所定形状（例えば、正面視矩形状など）に形成され、その裏面が容器６の胴部６１に接着可能である。なお、巻付けラベル７５は、胴部６１に巻き付けるので、通常、ＩＣタグラベル７よりも大面積に形成される。巻付けラベル７５には、必要に応じて、商品情報や意匠が印刷表示されていてもよい。
巻付けラベル７５の層構成は、ベースフィルム７３１と、ベースフィルム７３１の裏面の略全体に設けられた粘着剤層７３２と、を有する。従って、巻付けラベル７５は、粘着剤層７３２を介して、容器６の胴部６１に接着可能である。
なお、巻付けラベル７５を構成するベースフィルムや粘着剤層は、ＩＣタグラベル７で例示したものを用いることができる。
【００４３】
連設された巻付けラベル７５とＩＣタグラベル７の境界には、両ラベルを分離するための切取用破断線７６が形成されている（各図（但し、図８を除く）において、切取用破断線７６を、一点鎖線で示す）。切取用破断線７６の一端部は、前記切り目７９の他端部に連設されている。切取用破断線７６としては、ミシン目線、ハーフカット線などが挙げられる。
【００４４】
上記巻付けラベル７５とＩＣタグラベル７は、それぞれ別々に形成した後、両ラベル７，７５の一部分を一体的に連設してもよいが、通常、巻付けラベル７５とＩＣタグラベル７（巻付け型ＩＣタグラベル９）は、１枚のベースフィルム７３１で構成される。
例えば、巻付け型ＩＣタグラベル９は、１枚のベースフィルム７３１の裏面全体に粘着剤層７３２を設け、且つＩＣタグラベル７（但し、貼付部７２を除く）に対応する粘着剤層７３２上に隠蔽層７３３を重ねて設けた後、該ベースフィルム７３１を所定形状に裁断（同時に切取用破断線７６及び切り目７９も形成）することによって得ることができる。
【００４５】
上記巻付け型ＩＣタグラベル９のＩＣタグラベル７を容器６の小胴部６２の前方に位置させた状態で、巻付けラベル７５を容器６の胴部６１周りに巻き付けることにより、ＩＣタグ容器５が構成されている。
該ＩＣタグ容器５は、粘着剤層７３２を介して巻付けラベル７５及びＩＣタグラベル７の貼付部７２が胴部６に貼付されているが、ＩＣタグラベル７は容器６に接着せず、ＩＣタグラベル７の上部が突出して容器６の小胴部６２の前方に位置している。従って、ＩＣタグラベル７の上部は、容器６の小胴部６２から隙間を開けて離れている。このＩＣタグラベル７の上部には、ＩＣタグ７１（アンテナ部７１２）の殆どが含まれているため、ＩＣタグ７１と容器６の間には、隙間を有する。
また、貼付された巻付けラベル７５は、胴部６１の曲面に沿って円弧状に湾曲している。ＩＣタグラベル７の貼付部７２（他側部下端）は巻付けラベル７５の他側部上端において連設されているので、ＩＣタグラベルの他側部７ｂは、胴部６１の曲面に沿って湾曲している。
【００４６】
さらに、貼付部７２において貼付されたＩＣタグラベル７は、ＩＣタグラベル７の他側部７ｂを除いて、略平坦状となっている。ＩＣタグ７１は、ＩＣタグラベル７の一側部７ａ寄りに設けられているので、ＩＣタグ７１も、略平坦状となっている。
図９に示すように、略平坦状のＩＣタグラベル７の一側部７ａは、貼付部７２の外縁７２ａ（ＩＣタグラベル７の貼付位置の外縁）における胴部６１の接線Ｌの一方向へ突出している。
略平坦状のＩＣタグラベル７の一側部７ａは、前記貼付位置を基準にして前記胴部６１の周方向に約１／４周長分ずれた位置６１ａにおける胴部６１の接線面Ｍよりも外側へ突出している。
従って、図１０にも示すように、ＩＣタグ容器５を正面から見た場合、ＩＣタグラベル７の一側部７ａが、胴部６１の外面よりも外側に突出している。
【００４７】
上記ＩＣタグ容器５は、図１及び図２に示すように、収納部材３の各収納凹部２にそれぞれ入られている。
入れられたＩＣタグ容器５は、そのＩＣタグラベル７の一側部７ａが収納部材３の一側部３ａ側に向けられている。ＩＣタグ容器５のＩＣタグラベル７の少なくとも一側部７ａは、略平坦状であり且つ該一側部７ａは胴部６１の外面よりも外側に突出しているので、各ＩＣタグラベル７の一側部７ａが収納部材３の天面部２２上に位置し、ＩＣタグラベル７の少なくとも一側部７ａは収納部材３の各天面部２２を含む面と略平行となっている。ただし、略平行とは、ＩＣタグラベル７の一側部７ａと各天面部２２を含む面とが完全に平行である場合だけでなく両面が２０度以内、好ましくは１０度以内の角度を有する場合を含む。この種の製品において、前記両面が完全に平行となるような精密性は求められず、且つ現実的にそのような製品を工業的に量産できないからである。
【００４８】
収納凹部２に入れられた各ＩＣタグ容器５は、そのＩＣタグラベル７の一側部７ａが隣りのＩＣタグ容器５のＩＣタグラベル７と重ならないことが好ましい。このように隣合うＩＣタグラベル７が部分的に重ならないように収納凹部２に入れることにより、個々のＩＣタグの情報に対して、より正確にアクセスできる。このように隣合うＩＣタグラベル７が部分的に重ならないようにするためには、例えば、ＩＣタグラベル７の幅を適宜設定すればよい。もっとも、ＩＣタグ容器５は、収納凹部３に入れられたときに、そのＩＣタグラベル７の一部分が隣りのＩＣタグラベル７と部分的に重なっていてもよい。
【００４９】
上記ＩＣタグ容器包装体１は、各ＩＣタグ容器５のＩＣタグラベル７の一側部７ａが収納部材３の一側部３ａ側に向けられ且つ各ＩＣタグラベル７の一側部７ａが略同一平面上に配置されているので、隣合うＩＣタグ７１が干渉し合うことを防止できる。従って、上記ＩＣタグ容器包装体１は、無線通信装置を用いて個々のＩＣタグ７１に正確にアクセスできる。
さらに、上記ＩＣタグ容器包装体１は、ＩＣタグラベル７の上部が容器６の小胴部６２の前方にまで突出され且つ小胴部６２に対して非接着とされているので、容器６内に充填された液体によって電波が吸収され難くなる。また、上記ＩＣタグ容器包装体１は、無線通信装置を用いてＩＣタグ７１の情報に確実にアクセスできる。
また、上記ＩＣタグ容器包装体１は、各ＩＣタグラベル７の一側部７ａが収納部材３の天面部２２上に位置している。このため、流通過程で振動が加わっても、ＩＣタグラベル７の一側部７ａが天面部２２に係止され、ＩＣタグ容器５が収納凹部２内で回転し難く、ＩＣタグラベル７の向きが変わることを防止できる。
【００５０】
＜ＩＣタグ容器包装体の製造方法の１つの実施形態＞
次に、上記ＩＣタグ容器包装体１の製造方法及びＩＣタグ容器包装体１の通信方法について説明する。
なお、以下の説明では、容器として、医薬品を充填した医療用容器を例に採るが、本発明は、医療用容器に限定されない。
【００５１】
本発明のＩＣタグ容器包装体の製造方法は、例えば、ＩＣタグラベル７の一部分が容器６の胴部６１に貼付されたＩＣタグ容器５であって、前記ＩＣタグラベル７の一側部７ａが前記ＩＣタグラベル７の貼付位置における胴部６１の接線の一方向側へ突出されているＩＣタグ容器５を、複数の収納凹部２が一側部から他側部に亘って並んで形成された収納部材３の各収納凹部２に、前記ＩＣタグラベル７の一側部７ａを前記収納部材３の一側部３ａ側に向けながらそれぞれ入れる工程と、前記各収納凹部２から突出したＩＣタグラベル７の表面に当たるように、整列具１０を前記収納部材３の他側部３ｂから一側部４ａの方向へ相対移動させる工程と、を有する。
【００５２】
（ＩＣタグ容器の作製工程）
最初の工程では、ＩＣタグラベル７のＩＣタグ７１に、医薬品に関する商品情報（品名、医薬品の個別的な識別番号、製造日、製造場所、品質保持期限などの所望の情報）を記録する。この記録は、ＩＣタグ７１へ情報を書き込み可能な書込み型又は読書き型の無線通信装置を用いて行うことができる。
このＩＣタグラベル７に連設された巻付けラベル７５を、医薬品が充填された容器６の胴部６１に巻き付けながら貼付することにより、図９及び図１０に示すようなＩＣタグ容器５を作製する。ＩＣタグ容器５の構成及び作製方法は、上述の通りである。
尚、ＩＣタグ７１への商品情報の記録は、容器６に貼付する前に行わず、容器６に貼付した後に実施することもできる。
【００５３】
（ＩＣタグ容器の収納工程）
次の工程では、このＩＣタグ容器５を、収納部材３の収納凹部２内へ入れていく。
収納凹部２にＩＣタグ容器５を入れるときには、ＩＣタグ容器５を一方向へ回転させたときにＩＣタグラベル７の一側部７ａが収納部材３の一側部３ａ側に向くように、ＩＣタグ容器５を収納凹部２に入れていく。
好ましくは、ＩＣタグラベル７の一側部７ａを収納部材３の一側部３ａ側に向けながら、ＩＣタグ容器５を収納凹部２に入れていく。上記以外は、特に制限はなく、無作為に各ＩＣタグ容器５を収納凹部２に入れていいけばよい。
例えば、ＩＣタグラベル７の一側部７ａを摘み、ＩＣタグラベル７の他側部７ｂを収納部材３の他側部３ｂ側へ向けて（換言すると、ＩＣタグラベル７の一側部７ａを収納部材３の一側部３ａ側に向けて）、各ＩＣタグ容器５を各収納凹部２に順次入れていく。なお、各ＩＣタグ容器５を各収納凹部２に一時に入れてもよい。
また、容器６の胴部６１を掴み、ＩＣタグラベル７の他側部７ｂを収納部材３の他側部３ｂ側へ向けて、各ＩＣタグ容器５を各収納凹部２に入れてもよい。
【００５４】
このように無作為にＩＣタグ容器５を収納凹部２に入れると、図１１に示すように、ＩＣタグラベル７が収納凹部２から突出した状態で収納凹部２に入ったＩＣタグ容器５もあれば、ＩＣタグラベル７が収納部材３の天面部２２を含む面と略平行になった状態で入ったＩＣタグ容器５’もある。
【００５５】
（ＩＣタグ容器の整列工程）
次の工程では、整列具１０が収納凹部２から突出したＩＣタグラベル７の表面に当たるように、前記整列具１０を収納部材３の他側部３ｂから一側部３ａの方向へ相対移動させる。
整列具１０は、少なくとも収納凹部２の開口２１から天部方向へ突出したＩＣタグラベル７に接触する部分を有していれば、特に限定されない。
整列具１０としては、例えば、平板、棒などの簡易な部材を用いることができる。また、整列具１０として、上記箱体８の蓋材８２を用いてもよい。整列具１０として上記蓋材８２を用いた場合には、ＩＣタグ容器５の整列作業の完了と同時に、収納部材３の閉蓋を実施できるので好ましい。
【００５６】
整列具１０は、収納凹部２の開口２１から突出した各ＩＣタグ容器５の胴部６１に略接するように相対移動させる。換言すると、整列具１０は、収納凹部２の開口２１から突出した各ＩＣタグ容器５の胴部６１の接線面（接線を含む面）に沿って相対移動させる。
ここで、相対移動とは、（１）収納部材３を固定し且つ整列具１０を収納部材３に対してスライド移動させること、（２）整列具１０を固定し且つ収納部材３を整列具１０に対してスライド移動させること、（３）収納部材３及び整列具１０の双方をスライド移動させること、が含まれる。本発明では、整列具１０の相対移動は、前記（１）〜（３）の何れでもよいが、通常、前記（２）の方法が採用される。
【００５７】
整列具１０を相対移動させると（図１２の矢印Ａ方向に収納部材３を移動させると）、整列具１０の先端縁１０ａが収納凹部２の開口２１から突出したＩＣタグラベル７の表面に当たっていき、整列具１０がＩＣタグラベル７を収納部材３の一側部３ａ方向へ引き連れる。ＩＣタグ容器５の胴部６１は収納凹部２内で回転可能な形状であるため、整列具１０がＩＣタグラベル７を引き連れることに伴ってＩＣタグ容器５が収納凹部２内で一方向に回転する（回転方向を、図１２の矢印Ｂで示す）。その結果、各ＩＣタグ容器５のＩＣタグラベル７の一側部７ａが収納部材３の天面部２２上に位置し、各ＩＣタグ容器５のＩＣタグラベル７の一側部７ａが略同一平面上（蓋材８２と略平行）に揃う。ただし、略平行とは、略平行とは、ＩＣタグラベル７の一側部７ａと各天面部２２を含む面とが完全に平行である場合だけでなく両面が２０度以内、好ましくは１０度以内の角度を有する場合を含む。整列具１０を相対移動させると、ＩＣタグ容器５が一方向に回転してＩＣタグラベル７が揃うが、その一側部７ａが蓋材８２と完全に平行とはならないからである。
【００５８】
上述のように、無作為にＩＣタグ容器５を収納凹部２に入れると、ＩＣタグラベル７が収納部材３の天面部２２を含む面と略平行になった状態でＩＣタグ容器５が入れられる場合がある（図１２の符号５’で示すＩＣタグ容器を参照）。この場合、相対移動させた整列具１０の先端縁１０ａが、前記略平行のＩＣタグラベル７の他側部７ｂの縁に引っ掛かる虞がある。この点、上記ＩＣタグ容器５のＩＣタグラベル７の他側部７ｂは胴部６１の曲面に沿って湾曲しているため、整列具１０の先端縁１０ａがＩＣタグラベル７の他側部７ｂの縁に当たることを防止できる。このため、整列具１０の相対移動に伴って、ＩＣタグラベル７が、折れ曲がったり、容器６から剥がれることを防止できる。
さらに、整列具１０として蓋材８２を用いると、ＩＣタグラベル７の整列と同時に収納部材３に蓋材８２が被せられたＩＣタグ容器包装体１を得ることができる。
【００５９】
得られたＩＣタグ容器包装体１は、搬送ラインなどで搬送され、倉庫に保管、或いは製造元から出荷され、流通に供される。そして、搬送ラインなどの所定箇所に於いて、無線通信装置を用いて、包装体１の状態で個々のＩＣタグ７１と通信が行われる。
例えば、搬送に使用されるコンベアの途中に、無線通信装置を配置し、該コンベアで搬送されるＩＣタグ容器包装体１の底面側を無線通信装置上に通過させている間に、該無線通信装置から電波が送られ、各ＩＣタグ容器５に具備されたＩＣタグ７１と通信が行われる。通信によって、ＩＣタグ７１に記録された情報をそれぞれ読み取る及び／又はＩＣタグ７１に情報をそれぞれ書き込むことができる。
また、無線通信装置を、包装体１の搬送途中に配置してＩＣタグ７１と通信する態様に限られず、所望の場所で、包装体１を無線通信装置上に載せる又は通過させることにより、ＩＣタグ７１と通信することもできる。
【００６０】
上記ＩＣタグ容器包装体１は、各ＩＣタグラベル７の一側部７ａが略同一平面上に並んでいるので、隣合うＩＣタグ容器５のＩＣタグ７１が干渉し合うことを防止できる。従って、上記無線通信装置を用いて、各ＩＣタグ容器５のＩＣタグ７１の情報をそれぞれ正確に読み取る又は各ＩＣタグ７１に情報を正確に記録できる。よって、ＩＣタグ容器包装体１から個々のＩＣタグ容器５を取り出さなくても、包装した状態のまま商品管理を行うことができる。
【００６１】
ここで、無線通信装置は、ＩＣタグ７１と無線（非接触）によってアクセスできる装置であって、ＩＣタグ７１の情報を読み込む読込み型、無線でＩＣタグに情報を記録する書込み型、又は読込みと書込みの双方を行える読書き型、の何れかの型を用いることができる。
読込み型の無線通信装置は、ＩＣタグ７１に対しては、その記録情報を読み込む機能を有する。かかる読込み型の無線通信装置を用いる場合、例えば、各容器毎のＩＣタグ７１にそれぞれの識別番号（ＩＤ番号）が記録され、且つ該識別番号に対応した商品情報を別途データベース化したシステムを構築することにより（例えば、別に設置したホストコンピュータに商品情報が記録更新され、且つインターネットなどの通信網を通じてアクセスできるデータベースなど）、読込み型の無線通信装置で読み込んだ情報（識別番号等）を元にしてこのデータベースと照合し、個々の商品情報を確認でき、商品管理を行うことができる。
【００６２】
また、書込み型の無線通信装置は、ＩＣタグ７１に対して所定情報を書き込む機能を有する。かかる書込み型の無線通信装置を用いる場合、流通過程に於ける各拠点で、所定の商品情報を追記更新することにより、各ＩＣタグ７１に重畳的に商品情報を蓄積できる。
これら読込み型、書込み型、読書き型の無線通信装置は、各流通拠点に於いて適宜選択して使用できる。例えば、製造元から販売業者又は消費者に至るまで、同じ型の無線通信装置（例えば、読込み型や読書き型など）を用いたり、或いは、製造元では書込み型の無線通信装置、問屋などの流通業者では読書き型、販売業者又は消費者では読込み型をそれぞれ用いるなどのように、流通拠点で異なる型の無線通信装置を用いることもできる。
【００６３】
また、無線通信装置は、各ＩＣタグ７１に個々にアクセスする方式でもよいし、或いは、複数のＩＣタグ７１に一括してアクセスする方式でもよい。
【００６４】
例えば、製造元から流通業者を経て消費者に至るまでの各流通拠点で、上記包装体１に無線通信装置を作用させ、各ＩＣタグ容器５のＩＣタグ７１に、入出荷情報（出荷日、入庫日等）や検品情報などの所望の情報を追加又は更新記録していくことにより、極めて正確な流通履歴が記録されたＩＣタグ７１を個々のＩＣタグ容器５ごとに得ることができる。
このＩＣタグ７１の記録情報に従えば、商品の追跡管理を容易に行えるので、医療用容器の流通管理システムとして特に好適に利用できる。
【００６５】
また、上記ＩＣタグ７１は粘着剤層７１５を介してＩＣタグラベル７に貼付されているので、医療用容器を使用後、ＩＣタグ７１を引き剥がし、これを注射器、輸液バッグ、カルテなどに貼り付けて保管することもできる。
なお、ＩＣタグ７１がＩＣタグラベル７に一体的に設けられている場合（剥離して分離できない場合）には、切取用破断線７６に沿ってＩＣタグラベル７を巻付けラベル７５から分離しつつ、ＩＣタグラベル７を容器６から剥がし、ＩＣタグラベル７の貼付部７２を注射器などに貼り付けることによって、ＩＣタグラベル７を保管することもできる。
【００６６】
＜他の実施形態＞
次に、本発明の他の実施形態を示す。但し、下記他の実施形態の説明では、上記各実施形態と異なる部分について主として説明し、同様の構成についてはその説明を省略し、用語及び図番を援用することがある。
【００６７】
上記実施形態では、ＩＣタグラベル７の上部は、容器６に接着されず、容器６の小胴部６２の前方に離れて突出されているが、図１３に示すように、ＩＣタグラベル７の上部が、小胴部６２の前方に部分的に接着されていてもよい。好ましくは、ＩＣタグラベル７の上部のうち他側部７ｂが、小胴部６２の前方に接着される。なお、ＩＣタグラベル７の上部の裏面において粘着剤層を部分的に露出させることにより（例えば、他側部７ｂにおける接着剤層を露出させることにより）、ＩＣタグラベル７の上部を小胴部６２に接着させることができる。
このようにＩＣタグラベル７が小胴部６２に接着されているＩＣタグ容器５は、小胴部６２の前方へ突出したＩＣタグラベル７の他側部７ｂの縁が、胴部６１の外面よりも内側となる。よって、かかるＩＣタグ容器５を収納部材３の収納凹部２に入れた後、上記整列具１０を相対移動させたときに、整列具１０の先端縁１０ａがＩＣタグラベル７の他側部７ｂの縁に引っ掛かることを確実に防止できる。
【００６８】
さらに、上記実施形態では、ＩＣタグラベル７の他側部７ｂが、容器６の胴部６１に接着されているが、ＩＣタグラベル７の他側部７ｂが容器６に接着されていなくてもよい。ＩＣタグラベル７は、その一部分において胴部６１に接着されていればよく、他側部７ｂが胴部６１に接着されている構成に限定されない。
かかるＩＣタグラベル７としては、図１４に示すような、巻付け型ＩＣタグラベル９が挙げられる。図１４に示す巻付け型ＩＣタグラベル９は、ＩＣタグラベル７の他側部寄り下端と巻付けラベル７５の他側部寄り上端とにおいて、両ラベル７，７５が連設されており、ＩＣタグラベル７の他側部寄り下端から貼付部７２が延設されている。その他の構成は、図６〜図８で示す巻付け型ＩＣタグラベルと同様である。図１４に示す巻付け型ＩＣタグラベル９が貼付されたＩＣタグ容器５は、図１５に示すように、貼付部７２においてＩＣタグラベル７が胴部６１に接着され、ＩＣタグラベル７の一側部７ａが胴部の接線の一方向へ突出され、且つＩＣタグラベル７の他側部７ｂが前記接線の他方向へ突出されている。
【００６９】
また、上記実施形態では、ＩＣタグラベル７として、巻付けラベル７５が一体的に設けられた巻付け型ＩＣタグラベル９を例示したが、ＩＣタグラベル７は、巻付けラベル７５が一体的に設けられていなくてもよい。本発明のＩＣタグ容器５は、ＩＣタグラベル７と巻付けラベル７５が別々に容器６に貼付されていてもよいし、ＩＣタグラベル７のみが容器６に貼付されていてもよい。
巻付けラベルを有しないＩＣタグラベル７は、図１６に示すように、貼付部７２において容器６の胴部に貼付される。なお、図１６（ａ）は、貼付部７２がＩＣタグラベル７の他側部下端に延設され、ＩＣタグラベル７の他側部７ｂが胴部６１の曲面に沿って湾曲しているＩＣタグ容器５を示す。図１６（ｂ）は、貼付部７２がＩＣタグラベル７の他側部寄り下端に延設され、ＩＣタグラベル７の他側部７ｂが胴部６１に接着されていないＩＣタグ容器５を示す。
【００７０】
さらに、上記実施形態では、箱体８としてケース８１と蓋材８２が一体的に形成された矩形筒状体を例示したが、箱体８は、ケースと蓋材が別体で形成され、ケースに蓋材を嵌め合わせるものでもよい。
【００７１】
また、上記実施形態では、円筒状の胴部６１を有する容器６を例示したが、本発明のＩＣタグ容器包装体１は、胴部６１が円筒状の容器６に限られず、胴部が多角柱状の容器、胴部が瓢箪型の容器などでもよい。このような形状の胴部６１を有する容器６も、収納凹部２内で回転可能である。
【００７２】
さらに、上記実施形態のＩＣタグ容器包装体の製造方法では、整列具を用いて各ＩＣタグラベルの向きを略同一平面上に揃えているが、本発明のＩＣタグ容器包装体１は、次のような方法でも製造できる。
先ず、図１７に示すように、収納部材３の各収納凹部２に容器６をそれぞれ入れる。
他方、平坦面４ａを有する供給具４の該平坦面４ａに、前記容器６と同数のＩＣタグラベル７を所定間隔を開けて仮止めしておく。仮止めは、平坦面４ａ側へラベルを吸引する、平坦面４ａに極めて弱く接着するなどの方法を採用できる。また、各ＩＣタグラベル７の間隔は、各収納凹部の間隔と略同じに設定する。なお、ＩＣタグラベル７は、図１６に示すような巻付けラベルを有しないＩＣタグラベル７が用いられる。
ＩＣタグラベル７が仮止めされた供給具４を収納部材３側（太矢印で示す方向）へと進出させると、収納凹部２の開口２１から突出した各容器６の胴部６１に、各ＩＣタグラベル７の貼付部７２が一時に貼付される。
次に、図１８に示すように、供給具４を収納部材３から離れる方向（太矢印で示す方向）へ後退させることにより、平坦面４ａからＩＣタグラベル７が離れて容器６側へ移る。
かかる製造方法も、各ＩＣタグラベル７が略同一平面上に配置されたＩＣタグ容器包装体１を簡易に製造できる。
【００７３】
さらに、上記実施形態では、ＩＣタグラベル７の上部が、容器６の小胴部６２の前方に位置しているが、ＩＣタグラベル７は、その一側部７ａがＩＣタグラベル７の貼付位置における胴部６１の接線の一方向側へ突出するように、容器６に貼付されていればよい。例えば、図１９に示すように、ＩＣタグラベル７の一側部７ａが、容器６の胴部６１の側方へ突出するように貼付されているＩＣタグ容器５でもよい。この場合、ＩＣタグラベル７の他側部が、容器６の胴部６１に貼付される。かかるＩＣタグ容器５を、上記ＩＣタグ容器包装体の製造方法に用いても、収納凹部２に入れられた各ＩＣタグラベル７の一側部７ａを略同一平面上に簡単に揃えることができる。
【符号の説明】
【００７４】
１…ＩＣタグ容器包装体、２…収納凹部、２１…収納凹部の開口、２２…収納部材の天面部、３…収納部材、３ａ…収納部材の一側部、３ｂ…収納部材の他側部、５…ＩＣタグ容器、６…容器、６１…胴部、６２…小胴部、７…ＩＣタグラベル、７ａ…ＩＣタグラベルの一側部、７ｂ…ＩＣタグラベルの他側部、７１…ＩＣタグ、７２…ＩＣタグラベルの貼付部、７５…巻付けラベル、７６…切取用破断線、８…箱体、８２…蓋材、９…巻付け型ＩＣタグラベル、１０…整列具
【図１】
2010189020.tif 000003
【図２】
2010189020.tif 000004
【図３】
2010189020.tif 000005
【図４】
2010189020.tif 000006
【図５】
2010189020.tif 000007
【図６】
2010189020.tif 000008
【図７】
2010189020.tif 000009
【図８】
2010189020.tif 000010
【図９】
2010189020.tif 000011
【図１０】
2010189020.tif 000012
【図１１】
2010189020.tif 000013
【図１２】
2010189020.tif 000014
【図１３】
2010189020.tif 000015
【図１４】
2010189020.tif 000016
【図１５】
2010189020.tif 000017
【図１６】
2010189020.tif 000018
【図１７】
2010189020.tif 000019
【図１８】
2010189020.tif 000020
【図１９】
2010189020.tif 000021